(57)【特許請求の範囲】
【請求項１】
レンジにおいて発生した油煙や臭いを室外に排出する換気扇を覆う箱体を成し、前記レンジの上方で壁から突設され、前記箱体の下面が開口されて油煙や臭いの補集口となっており、補集口の縁部内周に沿って樋状の油留まりが設けられ、上記油留まりに周縁が沿うフィルタ枠内にフィルタ繊維が取り付けられて成り、そのフィルタ枠の周縁を前記油留まりに載置して上記フードボックスに取り付けるようにしたフードボックスのフィルタにおいて、
上記補集口の口形が矩形平面を成し、上記油溜まりに載置される上記フィルタ枠が、その油溜まりに沿う形状の底面を有する截頭角錐を成し、その截頭角錐の上面と各側面にフィルタ繊維を取り付けて成ることを特徴とするフードボックスのフィルタ。
【請求項２】
上記補集口の口形が、壁側から手前側に向かう途中で水平から斜め上方に立ち上がる矩形の折れ曲がり面を成す場合であって、上記補集口の水平部と傾斜部のそれぞれの油留まりに沿う二つの矩形枠をその水平部と傾斜部の境界に対応する辺の回りに回動自在に連結されて成る折れ曲がり可能な矩形のフィルタ枠を有し、各矩形枠内にフィルタ繊維が取り付けられて成ることを特徴とする請求項１に記載のフードボックスのフィルタ。
【請求項３】
各矩形枠における対辺の間隔が可変となっていることを特徴とする請求項２に記載のフードボックスのフィルタ。
【請求項４】
レンジにおいて発生した油煙や臭いを室外に排出する換気扇を覆う箱体を成し、前記レンジの上方で壁から突設され、前記箱体の下面が開口されて油煙や臭いの補集口となっており、その補集口の口形が壁側から手前側に向かう途中で水平から斜め上方に立ち上がる矩形の折れ曲がり面を成し、その補集口の縁部内周に沿って樋状の油留まりが設けられたフードボックスのフィルタであって、
上記補集口の水平部の油溜まりに底部が載置可能で、各側面と上面にフィルタ繊維が取付けられた截頭角錐状のフィルタ枠にマット状のフィルタ繊維が連設されてなり、そのマット状のフィルタ繊維で前記補集口の傾斜部を覆うようにし、そのマット状のフィルタ繊維にフードボックスに対する着脱手段を設けたことを特徴とするフードボックスのフィルタ。
【請求項５】
レンジにおいて発生した油煙や臭いを室外に排出する換気扇を覆う箱体を成し、前記レンジの上方で壁から突設され、前記箱体の下面が開口されて油煙や臭いの補集口となっており、その補集口の口形が壁側から手前側に向かう途中で水平から斜め上方に立ち上がる矩形の折れ曲がり面を成し、その補集口の縁部内周に沿って樋状の油留まりが設けられたフードボックスの、前記折れ曲がり面の水平部と傾斜部のそれぞれの面に、矩形のフィルタ枠から成るフィルタを単独で装着するための補助具であって、
二本の棒体の一端同士を、最大開脚角度が１８０°となるように回動自在に連結して成り、その二本の棒体を１８０°開脚して一本の棒体にした状態で、その両端を前記フードボックスの両側板の油溜まりに載置し、その棒体上に前記フィルタのフィルタ枠の一辺を載置してフィルタを装着するようにしたことを特徴とするフードボックスのフィルタの補助具。
【発明の詳細な説明】
【０００１】
【発明の属する技術分野】
この発明は、台所等で換気扇を覆って設置され、レンジからの油煙や臭いの広がりを抑制するフードボックスのフィルタに関する。
【０００２】
【従来の技術】
台所には、レンジにおいて発生する油煙や臭いを室外に排出するため、レンジの近傍の壁に換気扇が設けられるが、換気扇だけでは、レンジから換気扇に至るまでの油煙や臭いの広がりを効率よく防ぐことができないので、新築の家庭等では、この換気扇がフード内に内蔵されたレンジフードを壁に設置する態様をとっている。
【０００３】
しかしながら、既に換気扇だけが単独に取り付けられている家庭で、このレンジフードを取り付けるのは、その換気扇が無駄になるだけでなく、そのレンジフードの換気扇に合った壁の開口工事をしなければならず、それにかかる手間、費用とも大変である。
【０００４】
そこで、新たにレンジフードを設置しなくとも、既存の換気扇を残したまま、その換気扇を覆って壁に取付けて、レンジフードと同じ働きをなすようにしたものがフードボックスである。図１５に、このフードボックスＨの一般的なものの一例を示す。
【０００５】
このものは、換気扇Ｐの室内側への突出部に対応する部分と下面が開口された箱体を成し、下面の開口が油煙や臭いの補集口１１となっている。壁Ｗに取り付けた際の手前側の面が末広がりの傾斜面を成し、補集口１１がレンジＲを広く覆うようになっていて、レンジＲにおいて発生した直後の油煙や臭いを広い範囲に亘って補集できるようになっている。補集口１１からフードボックスＨ内に流入した油煙や臭いは、フードボックスＨの側壁内面に導かれて換気扇Ｐの方へ移動し、換気扇Ｐによって室外に導かれる。補集口１１の内周には樋状の油溜まり１２が設けられており、側壁内面に付着し、側壁をつたって下方に移動してくる油を受け止めるようになっている。このフードボックスＨは鋼板で形成されている。
【０００６】
このように、単純な箱体のフードボックスＨを取り付けることにより、既設の換気扇Ｐを残したまま、僅かの手間と費用でレンジ周りの汚れを押さえることができる。
【０００７】
【発明が解決しようとする課題】
しかしながら、上記のようなフードボックスＨには、これまで、フィルタを取り付けたものがなかった。従って、換気扇ＰやフードボックスＨ自身の内面がひどく汚れ、特に、換気扇Ｐの汚れは換気効率の低下にもつながっている。
【０００８】
そこで、この発明の課題は、フードボックスに取り付けるフィルタを提供することにある。
【０００９】
【課題を解決するための手段】
上記課題を解決するため、請求項１に係る発明は、レンジにおいて発生した油煙や臭いを室外に排出する換気扇を覆う箱体を成し、前記レンジの上方で壁から突設され、前記箱体の下面が開口されて油煙や臭いの補集口となっており、補集口の縁部内周に沿って樋状の油留まりが設けられ、上記油留まりに周縁が沿うフィルタ枠内にフィルタ繊維が取り付けられて成り、そのフィルタ枠の周縁を前記油留まりに載置して上記フードボックスに取り付けるようにしたフードボックスのフィルタにおいて、上記補集口の口形が矩形平面を成し、上記油溜まりに載置される上記フィルタ枠が、その油溜まりに沿う形状の底面を有する截頭角錐を成し、その截頭角錐の上面と各側面にフィルタ繊維を取り付けて成る構成を採用したものである。
このようにすれば、補集口から吸い込まれた油煙や臭いが截頭角錐の傾斜面に沿って換気扇の方向に収束し易くなり、フードボックス内が汚れにくい。
【００１０】
請求項２に係る発明は、請求項１に係る発明において、上記補集口の口形が、壁側から手前側に向かう途中で水平から斜め上方に立ち上がる矩形の折れ曲がり面を成す場合であって、上記補集口の水平部と傾斜部のそれぞれの油留まりに沿う二つの矩形枠をその水平部と傾斜部の境界に対応する辺の回りに回動自在に連結されて成る折れ曲がり可能な矩形のフィルタ枠を有し、各矩形枠内にフィルタ繊維が取り付けられて成る構成を採用したものである。このようにしたことにより、簡単な構成のフィルタがフードボックスに簡単に取り付けられ、換気扇周りの汚れを手間なく安価に抑制できる。
【００１１】
請求項３に係る発明は、請求項２に係る発明において、各矩形枠における対辺の間隔が可変となっている構成を採用したものである。そのようにすれば、様々な寸法の補集口に即座に対応できる。
【００１２】
請求項４に係る発明は、レンジにおいて発生した油煙や臭いを室外に排出する換気扇を覆う箱体を成し、前記レンジの上方で壁から突設され、前記箱体の下面が開口されて油煙や臭いの補集口となっており、その補集口の口形が壁側から手前側に向かう途中で水平から斜め上方に立ち上がる矩形の折れ曲がり面を成し、その補集口の縁部内周に沿って樋状の油留まりが設けられたフードボックスのフィルタであって、上記補集口の水平部の油溜まりに底部が載置可能で、各側面と上面にフィルタ繊維が取付けられた截頭角錐状のフィルタ枠にマット状のフィルタ繊維が連設されてなり、そのマット状のフィルタ繊維で前記補集口の傾斜部を覆うようにし、そのマット状のフィルタ繊維にフードボックスに対する着脱手段を設けた構成を採用したものである。
【００１３】
このようにしたことにより、水平部の油溜まりに載置されたフィルタ繊維の面が換気扇側に収束する方向の傾斜面になっているので、その部分を通過した油煙が換気扇側に導かれ易い。
【００１４】
請求項５に係る発明は、レンジにおいて発生した油煙や臭いを室外に排出する換気扇を覆う箱体を成し、前記レンジの上方で壁から突設され、前記箱体の下面が開口されて油煙や臭いの補集口となっており、その補集口の口形が壁側から手前側に向かう途中で水平から斜め上方に立ち上がる矩形の折れ曲がり面を成し、その補集口の縁部内周に沿って樋状の油留まりが設けられたフードボックスの、前記折れ曲がり面の水平部と傾斜部のそれぞれの面に、矩形のフィルタ枠から成るフィルタを単独で装着するための補助具であって、二本の棒体の一端同士を、最大開脚角度が１８０°となるように回動自在に連結して成り、その二本の棒体を１８０°開脚して一本の棒体にした状態で、その両端を前記フードボックスの両側板の油溜まりに載置し、その棒体上に前記フィルタのフィルタ枠の一辺を載置してフィルタを装着するようにした構成を採用したものである。
【００１６】
この補助具を用いることにより、上記のような形状のフードボックスに対し、その補集口の水平部と傾斜部のそれぞれの面に、単純な矩形形状のフィルタ枠のフィルタを単独で装着できるので、フィルタ枠を、補集口の折れ曲がり面に合わせた複雑な形状のフィルタを用意する必要がない。
【００１７】
【発明の実施の形態】
図１〜図１４にこの発明の実施の形態を示し、従来例と同一部分については同一符号を付して説明を省略する。この実施形態のフィルタを取り付けるフードボックスとして、その補集口の形状が異なるものを２種（以下、第１、第２のフードボックスＨ1 、Ｈ2 と称する）取り挙げ、それぞれのフィルタについて説明する。
【００１８】
（第１のフードボックスＨ1 とそれに対するフィルタ）
以下にいう第１のフードボックスＨ1 とは、図１（ａ）に示すように、その補集口１１が矩形を成す。その矩形面はフードボックスＨ1 を壁に取り付けた際、水平を向く場合（（ｂ）参照）も傾斜する場合Ｈ1 ’（（ｃ）参照）も含むが、いずれにしてもその開口形状が矩形であることに変わりはなく、ここでは水平面を向く場合のもののみについて説明する。その補集口１１の縁部内周に沿って、図２に示すような樋状の油溜まり１２が設けられている。
【００１９】
このような補集口１１を有する第１のフードボックスＨ1 に対し、それに取り付けるフィルタＦ1 のフィルタ枠１は、図３に示すように、その外形（周縁）が前記油溜まり１２の外周と内周の間の寸法を有する矩形枠をなし、この実施形態では二枚のものを並置している。各フィルタ枠１は、各辺の断面がＬ字状を成し、そのＬ字の内側に、それに沿う外形と、そのＬ字の高さ内に納まる厚みのマット状のフィルタ繊維２が敷かれている。このフィルタ繊維２は、図３（ｂ）に示すように、フィルタ枠１の裏面１ａに敷かれ、その上に針金等で形成された細枠３を重ね、その細枠３を、フィルタ枠１に設けられた係止片１ｃに嵌入して挟むことによりフィルタ枠１に固定される。
【００２０】
このようなフィルタをフードボックスＨ1 に取り付ける際には、補集口１１の長辺方向にフィルタ枠１の短辺を沿わせる形で補集口１１から挿入し、フードボックスＨ1 の中で補集口１１とフィルタ枠１の短辺同士、長辺同士を合わせて油溜まり１２の上に載置する。これだけで取付けが完了する。フィルタ枠１の外形は、油溜まり１２の内側より大きいのでフィルタＦ1 が水平方向にずれても補集口１１から落下することがない。
【００２１】
以上のフィルタＦ1 では、枠の大きさが決まっているので、一つの大きさの補集口１１にしか対応できないが、様々な寸法の補集口１１に対応できるようにするには、フィルタ枠１の各辺を可変にすればよい。
【００２２】
そのためには、図４に示すように、フィルタ枠１の各辺を二つ割りにし、その二つ割りにした辺の端部近傍にばか穴１ｄを設けておき、長さ方向に沿う長穴２２を二つ設けた帯状の板金２１を、各フィルタ枠１の裏面１ａに重ね、フィルタ枠１の表面１ｂ側からそのばか穴１ｄと長穴２２に蝶ねじ２３を挿入して、裏面側でナットＮに螺合させて接続したものを一辺として構成し、辺の長さを変化させる際には、その蝶ねじ２３をゆるめて各枠１をスライドさせることによって行い、長さが決まれば、蝶ねじ２３とナットＮで帯板２１とフィルタ枠１を挟んで固定する。なお、図４では、図示の煩雑さを避けるためにフィルタ繊維２は描かず、フィルタ枠１のみを描いている。
【００２３】
また、他の方法として、図示はしないが、丸や角のパイプに挿嵌可能な丸棒や角材を挿嵌してスライド可能となったものを枠の一辺として形成する方法もある。その場合に、辺の長さが決まった際の固定方法としては、パイプの外面にバーリング加工で設けたねじ穴に蝶ねじを通し、その蝶ねじ先端で丸棒や角材を押圧する方法や、丸棒や角材側に穴を設けておき、そこに蝶ねじの先端部を挿入して行う方法がある。
【００２４】
次に、上記第１のフードボックスＨ1 に対する、さらに他の形状のフィルタを取り挙げる。このフィルタは、図５や図６に示すように、そのフィルタ枠１が、截頭角錐状の枠１になっており、その截頭角錐の各側面と上面にマット状のフィルタ繊維２が取付けられている。このようなフィルタＦ2 やＦ3 であれば、そのフィルタ枠１の傾斜面のフィルタ繊維２の壁に沿って油煙や臭いが換気扇側に導かれ易い。
【００２５】
なお、この実施形態では、第１のフードボックスＨ1 として、その補集口１１の口形を矩形としたが、台所のインテリアを考えた際に、今後、図７や図８に示すような、その口形が台形を成すものｈ1 や円弧状を成すものｈ2 が世にでることも考えられるが、その場合でも、この発明では、フィルタＦはその補集口１１の油溜まり１２の上に載置するので、そのフィルタ枠は、外形を、その台形や円弧の形状に合わせるようにすればよい。
【００２６】
そして、台形の場合は各辺が直線であるので、その傾斜角が等しいものであれば、前記した矩形の場合と同様にその辺の長さの可変手段を設けることにより、形状の異なった補集口１１に対しても即座に対応することができる。
【００２７】
（第２のフードボックスＨ2 とそれに対するフィルタ）
図９に示す第２のフードボックスＨ2 は、その補集口１１が壁側から手前側に向かう途中で水平から斜め上方に立ち上がる矩形を成している。これは、手前側の傾斜面の部分で油煙や臭いを広く補集するための形状である。
【００２８】
このような形態の補集口１１を有する第２のフードボックスＨ2 のフィルタとして、先ず、前記第１のフードボックスＨ1 のフィルタの内、フィルタ枠１が矩形のもの（図３（ｂ）参照）を採用することができる。この場合も、フィルタＦの取付けは油溜まり１２の上に載置する形をとるが、補集口１１が途中で上向きに立ち上がっているので、図９（ｃ）に示すように、フィルタ枠１が載置されるのは、前後方向の対向辺だけであり、左右方向の対向辺上には載置されない形となる。
【００２９】
第２のフードボックスＨ2 に対する他の形態のフィルタとして、図１０に示すような、二つの矩形枠３１を突き合わせ、図のような公知の蝶番３２’で回動自在に連結し、その連結辺３２を上記補集口１１の水平部と傾斜部の境界に合わせる形で上記油溜まり１２に載置可能な形態のもの３０を取り挙げる。それぞれの枠３１内にマット状のフィルタ繊維２が取り付けられている。このフィルタ３０の場合は、その折れ曲がり構造によって、フィルタ枠３１が油溜まり１２の全周に沿うので、前記図９（ｃ）の場合のように、フードボックスＨ2 の前後の油溜まり１２だけにフィルタ枠１が載って、左右の内面が剥き出しになり、その面が直接、油煙や臭いに触れるといったことがないので、その分のフードボックスＨの内面の汚れを回避できる。
【００３０】
このフィルタ３０に対しても、各枠３１について前記したような長さ調整機構を用いて各枠３１の長さを調整できるようにすれば、補集口１１の大きさ（形状）の異なるフードボックスＨ2 に即座に対応できる。
【００３１】
また、このフードボックスＨ2 に、その補集口１１の水平部と傾斜部のそれぞれの面に単独に、それらの面に対応した、前記図３に示すような矩形のフィルタ枠のフィルタを装着するには、水平部と傾斜部の境界線に沿って、図１１に示すような補助具７０を掛け渡す。
【００３２】
この補助具７０は、図１１（ａ）に示すように、幅方向の片側が樋状７１ａになった二本の帯板７１、７１の一端同士を、最大開脚角度が１８０°となるように、蝶番７２で回動自在に連結したものであり、各帯板７１の幅方向、前記樋状になった部分７１ａとは反対側の部分の自由端には、その端縁から所定の長さの長穴７３が設けられている。
【００３３】
使用の際には、前記図１１（ａ）に示すような折り曲げた状態でフードボックスＨ2 の補集口１１から内部に挿入し、図１１（ｂ）および図１２に示すように、フードボックスＨ2 内部で二本の帯体７１、７１を１８０°に開脚して一本の帯体７０にし、その帯体７０の両端を前記フードボックスＨ2 の両側板の油溜まり１２の上に載置する。その際、水平部と傾斜部の境界には傾斜部側と水平部側を接合するための合わせしろ１３が存在し、これがフードボックスＨ2 の内部に張り出しているが、前記した帯体７０の自由端の長穴７３は、この合わせしろ１３を逃がすためのものであり、この長穴７３によって合わせしろ１３を避ける。また、この長穴７３に合わせしろ１３が交差することにより、この補助具７０の前後方向の移動を阻止することができる。このような補助具７０によって、フィルタ枠の一辺をこの補助具７０の上に載置し、対辺をフードボックスＨ2 の油溜まり１２の上に載置してフィルタＦを装着する。
【００３４】
第２のフードボックスＨ2 に対するさらなる他の形態のフィルタとして、図１３に示すようなもの４０を採用した。このもの４０は、補集口１１の水平部の油溜まり１２に底部が載置可能な截頭角錐状のフィルタ枠４１と、そのフィルタ枠４１の底部を水平部の油溜まり１２に載置した際に手前側に位置する辺からマット状のフィルタ繊維２を連設し、そのフィルタ繊維２の縁部に磁石４２を設けたものである。この場合は、截頭角錐の各側面と上面にマット状のフィルタ繊維２を取付ける。
【００３５】
このフィルタ４０を取り付ける際には、図１３に示すように、截頭角錐部４１を補集口１１の水平部の油溜まり１２の上に載置し、その截頭角錐部４１に連設された枠無しのマット部２’を前記縁部の磁石４２でもって補集口１１の手前側縁部に取り付ける。
【００３６】
このようなフィルタ４０であれば、水平部の油溜まり１２に載置されたフィルタ繊維２の面が換気扇側に収束する方向の傾斜面になっているので、その部分を通過した油煙を換気扇側に導き易いとともに、その截頭角錐部４１に連設されたマット部２’は、水平面に対して任意の角度を成すことができるので、補集口１１の傾斜部の立ち上がり角が異なる第２のフードボックスＨ2 に対応できる。
【００３７】
なお、図１３に示したものの変形例を図１４に示す。図１４において、５１、６１はフィルタ枠、５２、６２は取付け用のマグネットである。
【００３８】
【発明の効果】
以上説明したように、この発明は、フードボックスのフィルタを発案したので、それをフードボックスに装着すれば、油煙によるフードボックスの汚れや臭いのこびりつきを抑制することができる。
【図面の簡単な説明】
【図１】（ａ）に斜視図、（ｂ）、（ｃ）に側断面図を示した第１のフードボックスの図
【図２】（ａ）に平面を、（ｂ）に要部拡大断面を示したフードボックスの油溜まりの図
【図３】（ａ）に第１のフードボックスに取り付ける実施形態のフィルタの背面とその取付け状態を平面で示し、（ｂ）にその分解斜視図を示したもの
【図４】（ａ）は要部を斜視で示した実施形態の応用例の図、（ｂ）は平面図
【図５】（ａ）に斜視を、（ｂ）、（ｃ）にそれぞれ、取付け状態を正面と側面で示した第１のフードボックスの他の実施形態のフィルタの図
【図６】（ａ）に斜視を、（ｂ）、（ｃ）にそれぞれ、取付け状態を正面と側面で示した第１のフードボックスの他の実施形態のフィルタの図
【図７】（ａ）、（ｂ）、（ｃ）それぞれに第１のフードボックスの他の例を平面、正面、側断面で示した図
【図８】（ａ）、（ｂ）、（ｃ）それぞれに第１のフードボックスの他の例を斜視、平面、側断面で示した図
【図９】（ａ）、（ｂ）それぞれに第２のフードボックスの正面と側面を示し、（ｃ）に実施形態のフィルタを取り付けた状態を側断面で示した図
【図１０】（ａ）、（ｂ）それぞれに斜視とその取付け状態を示した第２のフードボックスに取り付ける他の実施形態の図
【図１１】（ａ）に折り曲げた状態、（ｂ）に、最大に開脚した状態を示した補助具の斜視図
【図１２】補助具の装着状態を（ａ）に斜視図で、（ｂ）に部分詳細を示し、（ｃ）に要部詳細を側断面図で示したもの
【図１３】他の実施形態を示す図
【図１４】（ａ）〜（ｃ）に図１３の変形例を斜視図で示したもの
【図１５】（ａ）に正面を、（ｂ）に側断面を示した一般的なフードボックスの図
【符号の説明】
１、３１、４１、５１、６１  フィルタ枠
２、２’  フィルタ繊維
３  細枠
１１  補集口
１２  油溜まり
２１  帯板
２２  長穴
２３  蝶ねじ
４２、５２、６２  マグネット
７０  補助具
Ｆ、３０、４０  フィルタ
Ｈ  フードボックス
Ｈ1   第１のフードボックス
Ｈ2   第２のフードボックス
【図１】
0004159143.tif 000002
【図２】
0004159143.tif 000003
【図３】
0004159143.tif 000004
【図４】
0004159143.tif 000005
【図５】
0004159143.tif 000006
【図６】
0004159143.tif 000007
【図７】
0004159143.tif 000008
【図８】
0004159143.tif 000009
【図９】
0004159143.tif 000010
【図１０】
0004159143.tif 000011
【図１１】
0004159143.tif 000012
【図１２】
0004159143.tif 000013
【図１３】
0004159143.tif 000014
【図１４】
0004159143.tif 000015
【図１５】
0004159143.tif 000016